(57)【要約】【課題】予め定められた基準位置に原稿を突き当てて載置していない場合でも、プラテンガラス上に載置された原稿の原稿像を正しく読み取り、原稿を置き直す煩わしさを解消する。【解決手段】プラテンガラス２１上に載置された原稿９の原稿像を読み取る画像読取装置１であって、原稿９がプラテンガラス２１の四隅部のうちのいずれに突き当てて載置されたかを検出する原稿位置検出センサ４ａ〜４ｄと、四隅部のうちの原稿が突き当てられた隅部を基準として原稿サイズを検出する主／副走査長検出センサ５ａ〜５ｖと、原稿９が四隅部のうちの基準位置以外の隅部に突き当てられた状態で載置された場合に、主／副走査長検出センサ５ａ〜５ｖで検知した原稿サイズに基づき、読み取った画像データを補正する画像補正部１１とを備える。【選択図】図５
2010206343.tif 000002
【特許請求の範囲】
【請求項１】
プラテンガラス上に載置された原稿の原稿像を読み取る画像読取装置であって、
原稿が前記プラテンガラスの四隅部のうちのいずれの隅部に突き当てられた状態で載置されたかを検出する原稿位置検出手段と、
前記四隅部のうちの前記原稿が突き当てられた隅部を基準にして原稿サイズを検出する原稿サイズ検出手段と、
前記四隅部のうちの予め定められた基準位置以外の隅部に突き当てられた状態で原稿が載置された場合に、前記原稿位置検出手段で検出した原稿の突き当て位置と、前記原稿サイズ検出手段で検出した原稿サイズとに基づき、読み取った画像データを補正する補正手段とを備えることを特徴とする画像読取装置。
【請求項２】
前記原稿位置検出手段は、前記四隅部に対応して配置される複数の原稿位置検出手段から構成されることを特徴とする請求項１に記載の画像読取装置。
【請求項３】
前記原稿サイズ検出手段は、原稿の主走査方向及び副走査方向の長さを検出可能に配置された１組の検出センサ群を、前記四隅部の各々に対応して複数組配置して構成されることを特徴とする請求項１又は２に記載の画像読取装置。
【請求項４】
前記原稿サイズ検出手段は、主走査方向及び／又は副走査方向のセンタ基準位置を基準として原稿がセンタ載置された場合の前記主走査方向及び副走査方向の長さを検出するための検出センサ群をさらに備えることを特徴とする請求項３に記載の画像読取装置。
【請求項５】
前記原稿位置検出手段により、前記四隅部のいずれにも原稿が突き当てられていない状態が検出されたときに、前記プラテンガラス上に原稿が載置されていない旨、又は原稿の載置位置が不正である旨の警告メッセージを発することを特徴とする請求項１乃至３のいずれかに記載の画像読取装置。
【発明の詳細な説明】
【技術分野】
【０００１】
本発明は、プラテンガラス上に載置された原稿の原稿像を読み取る画像読取装置に関し、特に、原稿サイズの読み取り機能や読み取った画像データの補正機能を備える装置に関する。
【背景技術】
【０００２】
従来、コピー機や複合機等における画像読取装置は、プラテンガラス上に載置された原稿に対して露光光学系の走査を行い、回転する感光ドラム上に結像させて感光体上に原稿の潜像を形成するように構成されている。また、近年、ＣＣＤ等の撮像素子上に原稿像を結像させて画像データを取得し、その後、半導体レーザ等を用いて感光体ドラム上に像露光を行う装置も普及しつつある。
【０００３】
これらの装置を用いて原稿像を読み取るにあたっては、プラテンガラス上の基準位置に原稿を突き当て載置する必要があるが、使用者が操作を急いでいるときや操作に不慣れな場合には、原稿を正しく載置していない状態で読み取りを開始し、用紙を無駄に消費してしまうことがある。
【０００４】
そこで、例えば、特許文献１には、プラテンガラス上に載置された原稿のサイズを検出する検出センサと、プラテンガラスの短側部に沿って配置された直線状の発光表示器と、発光表示器の発光領域長を伸縮し、正しい載置位置を表示させる発光制御部とを備えた原稿位置決め指示装置が提案されている。この装置では、発光表示器の発光領域に合わせて原稿が載置されなかった場合に、載置位置が正しくない旨の警告メッセージを表示し、原稿の置き直しを促すように構成されている。
【０００５】
また、特許文献２には、読み取りデータのライン数を検出するライン数検出手段と、読み取りデータの符号化後のデータ量を検出するデータ量検出手段と、ユーザに警告を与える警告手段とを備えたファクシミリ装置が提案されている。この装置では、原稿像を読み取った際に、原稿の１ラインあたりの符号データ量を所定の基準値と対比し、符号データ量が基準値より小さい場合に警告を発するように構成されている。
【０００６】
さらに、特許文献３には、ＣＣＤに原稿像を結像させて得た画像データに基づき、プラテンガラス上の原稿の位置を検出するとともに、検出した原稿の位置を、予め制御部に入力された原稿基準位置データと対比し、原稿が正しく載置されたか否かを判別する画像形成装置が提案されている。
【０００７】
この装置では、画像データから原稿位置を検出し得ないほど位置がずれて原稿が載置された場合に、原稿が正しく載置されていないとして警告を発するように構成されている。尚、画像データから原稿位置を検出し得る範囲内で原稿の載置位置がずれている場合には、検出した原稿位置と原稿基準位置データとの対比結果から位置ずれ量を算出し、画像データを補正するように構成されている。
【先行技術文献】
【特許文献】
【０００８】
【特許文献１】特開平８−０６９１６０号公報
【特許文献２】特開平６−０４６１８５号公報
【特許文献３】特開２００３−０７５９４２号公報
【発明の概要】
【発明が解決しようとする課題】
【０００９】
しかし、特許文献１及び２に記載の装置においては、ユーザに警告を発するに過ぎず、装置側での補正手段を備えないため、載置位置のずれの程度に拘わらず、その都度、原稿を正しく置き直さなければならないという問題があった。
【００１０】
その一方で、特許文献３に記載の装置においては、位置ずれ量に合わせて画像データを補正する機能を備えるため、ずれの程度が小さい場合であれば、原稿の置き直しを強いることはない。しかし、この装置では、ＣＣＤに原稿像を結像させて原稿検出を行うことから、図１３に示すように、ＣＣＤを搭載した光学モジュール７１のホームポジション側に原稿７０を載置する場合に限り、原稿７０の有無を正しく検出できるに過ぎない。このため、適用可能な装置が制限され、汎用性に乏しいという問題があった。
【００１１】
また、特許文献３に記載の装置においては、プラテンガラスの長手方向に沿って複数のセンサ（原稿長手長検出センサ）を配置し、載置された原稿のサイズを検出する機能を有するが、原稿を正しく載置するのを前提としてセンサが配置されるため、原稿の載置位置によっては、正しくサイズを検出することができないという問題があった。
【００１２】
そこで、本発明は、上記従来の技術における問題点に鑑みてなされたものであって、予め定められた基準位置に原稿を突き当てて載置していない場合でも、プラテンガラス上に載置された原稿の原稿像を正しく読み取ることができ、原稿を置き直す煩わしさを解消することが可能な画像読取装置を提供することを目的とする。
【課題を解決するための手段】
【００１３】
上記目的を達成するため、本発明は、プラテンガラス上に載置された原稿の原稿像を読み取る画像読取装置であって、原稿が前記プラテンガラスの四隅部のうちのいずれの隅部に突き当てられた状態で載置されたかを検出する原稿位置検出手段と、前記四隅部のうちの前記原稿が突き当てられた隅部を基準にして原稿サイズを検出する原稿サイズ検出手段と、前記四隅部のうちの予め定められた基準位置以外の隅部に突き当てられた状態で原稿が載置された場合に、前記原稿位置検出手段で検出した原稿の突き当て位置と、前記原稿サイズ検出手段で検出した原稿サイズとに基づき、読み取った画像データを補正する補正手段とを備えることを特徴とする。
【００１４】
そして、本発明によれば、予め定められた基準位置以外の隅部に突き当てた状態で原稿が載置されても、原稿サイズを正しく検出することができ、また、原稿が突き当てられている位置に応じて自動的に画像データを補正することもできる。このため、ユーザに対して頻繁に原稿の置き直しを迫ることがなく、煩わしさを解消することが可能になる。
【００１５】
前記画像読取装置において、前記原稿位置検出手段を、前記四隅部に対応して配置される複数の原稿位置検出手段から構成することができ、これによれば、原稿がプラテンガラスの四隅部のうちのいずれに突き当てて載置されたかを適切に検出することが可能になる。
【００１６】
前記画像読取装置において、前記原稿サイズ検出手段を、原稿の主走査方向及び副走査方向の長さを検出可能に配置された１組の検出センサ群を、前記四隅部の各々に対応して複数組配置して構成することができる。これによれば、原稿が四隅部のいずれに突き当て載置されても、原稿サイズを適切に検出することができる。
【００１７】
前記画像読取装置において、前記原稿サイズ検出手段が、主走査方向及び／又は副走査方向のセンタ基準位置を基準として原稿がセンタ載置された場合の前記主走査方向及び副走査方向の長さを検出するための検出センサ群をさらに備えることができる。これによれば、原稿がセンタ載置された場合でも、原稿のサイズを適切に検出することが可能になる。
【００１８】
前記画像読取装置において、前記原稿位置検出手段により、前記四隅部のいずれにも原稿が突き当てられていない状態が検出されたときに、前記プラテンガラス上に原稿が載置されていない旨、又は原稿の載置位置が不正である旨の警告メッセージを発することができる。これによれば、対応できない瑕疵に限って警告を発することができ、原稿の置き直し要求を少なく抑えながら、用紙の無駄な消費を抑制することが可能になる。
【発明の効果】
【００１９】
以上のように、本発明によれば、予め定められた基準位置に原稿を突き当てて載置していない場合でも、プラテンガラス上に載置された原稿の原稿像を正しく読み取ることができ、原稿を置き直す煩わしさを解消することが可能になる。
【図面の簡単な説明】
【００２０】
【図１】モジュールスキャン方式の画像読取装置を示す斜視図である。
【図２】図１の光学モジュールを示す断面図である。
【図３】ミラースキャン方式の画像読取装置を示す上面図である。
【図４】本発明にかかる画像読取装置の電気的構成を示すブロック図である。
【図５】原稿位置検出機構を説明するための上面図である。
【図６】画像読取装置の断面図である。
【図７】原稿の検出処理を説明するためのフローチャートである。
【図８】原稿の載置状態を示す上面図である。
【図９】原稿像の読み取り処理を説明するためのフローチャートである。
【図１０】画像データの補正処理を説明するための図である。
【図１１】本発明にかかる画像読取装置の第２の実施形態を示す上面図である。
【図１２】本発明にかかる画像読取装置の第３の実施形態を示す上面図である。
【図１３】従来の画像読取装置における光学モジュールと原稿の載置位置との関係を示す上面図である。
【発明を実施するための形態】
【００２１】
次に、発明を実施するための形態について、図面を参照しながら詳細に説明する。尚、以下においては、本発明にかかる画像読取装置の説明に先立ち、画像読取装置の一般的な構成について簡単に説明する。
【００２２】
図１は、モジュールスキャン方式の画像読取装置を示す斜視図であり、図２は、図１の光学モジュールを示す断面図であり、図３は、ミラースキャン方式の画像読取装置を示す上面図である。
【００２３】
図２に示すように、モジュールスキャン方式での光学モジュール３０は、ＣＣＤ３１、レンズ３２、ランプ３３及びミラー３４をフレーム３５により一体的に固定した構成を有する。この光学モジュール３０は、図１に示すように、ドラム３７に巻回されたワイヤ３８に両端が連結された状態でレール３９上に配置される。
【００２４】
図１に示す画像読取装置においては、モータ４１によりドラム３７を回転させてワイヤ３８を巻き取ることで、光学モジュール３０を牽引する。これにより、光学モジュール３０をプラテンガラス４０上に載置された原稿９と平行に移動させ、原稿９の読み取り走査を行う。
【００２５】
読み取り走査にあたっては、光学モジュール３０を移動させながら、光学モジュール３０のランプ３３から原稿９に光を照射する。その際、原稿９によって反射された光は、光路３６を通じて初段のミラー３４に導かれるとともに、後段のミラー群３４で反射を繰り返し、その後、レンズ３２を通じてＣＣＤ３１の受光面に結像される。そして、ＣＣＤ３１において、結像された原稿像が光電変換され、原稿像に対応する画像信号が出力される。
【００２６】
一方、図３に示すように、ミラースキャン方式の画像読取装置においては、ＣＣＤ３１及びレンズ３２をスキャナ筐体の底部４２に設置し、ＣＣＤ及びレンズ以外の構成（ランプ３３やミラー３４等）を備える光学モジュール４３を移動させて原稿像を読み取る。このミラースキャン方式の画像読取装置においても、モジュールスキャン方式の画像読取装置と同様に、原稿９によって反射された光をＣＣＤ３１の受光面に集光し、原画像に対応する画像信号を得るように構成される。
【００２７】
次に、本発明にかかる画像読取装置の一実施の形態について、図４〜図１０を参照しながら説明する。尚、ここでは、本発明にかかる画像読取装置を、図１に示すモジュールスキャン方式の画像読取装置に適用した場合を例にとって説明する。
【００２８】
図４に示すように、画像読取装置１は、プラテンカバー２２（図６参照）の開閉を検知する開閉センサ２と、プラテンカバー２２の傾斜角度を検知する角度センサ３と、原稿９の突き当て位置を検出する原稿位置検出センサ４と、原稿９の主走査及び副走査方向の長さを検出する主／副走査長検出センサ（以下、「原稿長検出センサ」という）５等の各種検出センサを備える。
【００２９】
これらのうち、原稿位置検出センサ４は、図５に示すように、４つのセンサ４ａ〜４ｄから構成され、各々、プラテンガラス２１の四隅部Ｒ１〜Ｒ４に対応して配置される。これら原稿位置検出センサ４ａ〜４ｄは、最大読取りサイズ（図５の場合は、Ａ３サイズ）の縁よりも若干外側に位置するように配置される。
【００３０】
上記原稿位置検出センサ４ａ〜４ｄとしては、例えば、プラテンガラス２１上の原稿９に向けて光を発する発光部と、原稿９からの反射光を受光する受光部とを対にした光学センサを用いることができる。尚、原稿位置検出センサ４ａ〜４ｄは、光学モジュール３０の移動動作を阻害しないように、例えば、スキャナ筐体の底部等に配置される（図６参照）。
【００３１】
原稿長検出センサ５は、図５に示すように、センサ５ａ〜５ｖからなる２０個のセンサから構成され、これら複数の検出センサ５ａ〜５ｖは、原稿９が四隅部Ｒ１〜Ｒ４のうちのいずれの隅部に突き当て載置されても、原稿９のサイズ（例えば、Ｂ５、Ａ４、Ｂ４及びＡ３サイズ）を検出し得るように配置される。すなわち、１つの隅部（例えば、Ｒ１）を基準として原稿サイズを判別可能に配置した１組の検出センサ群を、他の隅部（Ｒ２〜Ｒ４）にも対応して複数組（さらに３組分）配置した構成となっている。
【００３２】
このため、例えば、図５の破線で示すように、Ａ４サイズの原稿９が隅部Ｒ１に突き当て載置された場合には、隅部Ｒ１に対応する原稿位置検出センサ４ａの出力と、原稿長検出センサ５ｋ、５ｍ、５ｎ及び５ｐの出力とに基づき、原稿９の主走査長を検出することができ、また、原稿位置検出センサ４ａの出力と、原稿長検出センサ５ｈ及び５ｐの出力とに基づき、原稿９の副走査長を検出することができる。
【００３３】
他の突き当て例として、例えば、図５の一点鎖線で示すように、Ｂ４サイズの原稿９が隅部Ｒ３に突き当て載置された場合には、隅部Ｒ３に対応する原稿位置検出センサ４ｃの出力と、原稿長検出センサ５ｃ及び５ｄの出力とに基づき、原稿９の主走査長を検出することができ、また、原稿位置検出センサ４ｃの出力と、原稿長検出センサ５ｃ及び５ｔの出力とに基づき、原稿９の副走査長を検出することができる。
【００３４】
尚、原稿長検出センサ５の数は、２０個に限られるものではなく、適宜に変更することが可能である。また、原稿長検出センサ５は、原稿位置検出センサ４と同様、例えば、光学センサにより構成することができ、また、いずれも、光学モジュール３０の移動動作を阻害しない位置に配置される（図６参照）。
【００３５】
図４に戻り、画像読取装置１は、上記検出センサ以外の構成として、ＣＣＤ３１から出力される画像信号に所定の信号処理を施して画像データを出力する画像処理部１０と、原稿９の載置位置と原稿９のサイズとに基づき、画像処理部１０から出力される画像データを、突き当て基準位置Ｒ１に原稿９を載置した場合と同等の画像データに編集する画像補正部１１と、画像補正部１１で編集された画像データを格納するメモリ部１２と、所定の警告メッセージ等を表示するためのディスプレイ１３と、ボタンキー等から構成された操作パネル１４と、画像読取装置１全体の動作を統括的に制御する制御部１５とを備える。
【００３６】
次に、上記構成を有する画像読取装置１の動作について説明する。
【００３７】
図６に示すプラテンカバー２２を開方向に回動させると、開閉センサ２において、プラテンカバー２２の開動作を検知し、制御部１５において、原稿位置検出センサ４及び原稿長検出センサ５への電流をオン状態に制御する。
【００３８】
ユーザが原稿９をプラテンガラス２１上に載置した後、プラテンカバー２２を閉方向に回動させる過程で、プラテンカバー２２の傾斜角度が１０〜２０°に達すると、それを角度センサ３により検知し、それに応答して、原稿９の有無やサイズの検出処理を開始する。
【００３９】
検出処理にあたっては、図７に示すように、先ず、プラテンガラス２１上の四隅部に配置した原稿位置検出センサ４ａ〜４ｄにより、原稿９の有無（センサ上方での物体の存在）を検出する（ステップＳ１）。次いで、原稿位置検出センサ４ａ〜４ｄの出力に基づき、原稿９の存在を検出した原稿位置検出センサ４の数が２個以上であるか否かを判定する（ステップＳ２）。
【００４０】
このとき、例えば、図８（ａ）に示すように、プラテンガラス２１上に最大読み取りサイズより大きな原稿９が載置されていた場合には、原稿位置検出センサ４ａ〜４ｄの全てで原稿９の存在を検出する（ステップＳ２：Ｙｅｓ）。この場合は、載置された原稿９が大サイズ原稿であると判断し、処理を終了する（ステップＳ３）。
【００４１】
これに対し、原稿９の存在を検出した原稿位置検出センサ４の数が２個未満（１個又は０個）であった場合には（図７のステップＳ２：Ｎｏ）、原稿９の存在を検出した原稿位置検出センサ４の数が０個であるか否か（いずれの原稿位置検出センサ４ａ〜４ｄにおいても原稿９の存在を検出し得なかったか）を判定する（ステップＳ４）。その結果、原稿９の存在を検出した原稿位置検出センサ４が存在しなかった場合には（ステップＳ４：Ｙｅｓ）、原稿長検出センサ５ａ〜５ｖの出力を参照し、それらの出力が原稿９の存在を示しているか否かを判定する（ステップＳ５）。
【００４２】
そして、原稿長検出センサ５ａ〜５ｖによっても原稿９の存在を検出できなかった場合には、原稿９が載置されていない旨の警告メッセージを表示し（ステップＳ６）、逆に、それらのセンサ５ａ〜５ｖのいずれかで原稿９の存在を検出し得た場合には、原稿９の載置位置が不正である旨の警告メッセージを表示する（ステップＳ７）。
【００４３】
一方、原稿位置検出センサ４ａ〜４ｄのうちの１つのセンサで原稿９の存在を検出した場合には（ステップＳ４：Ｎｏ）、基準位置Ｒ１に対応して設置された原稿位置検出センサ４ａの出力を参照し、原稿９が基準位置Ｒ１に突き当てた状態で載置されているか否かを判定する（ステップＳ８）。
【００４４】
このとき、例えば、図８（ｂ）に示す状態で原稿９が載置され、原稿９が基準位置Ｒ１に突き当てられている場合には（図７のステップＳ８：Ｙｅｓ）、原稿位置検出センサ４ａの出力と、原稿長検出センサ５ａ〜５ｖの出力とに基づいて、原稿９の主／副走査方向の長さを検出し、原稿サイズ（図８（ｂ）の場合は、Ａ４サイズ）を確定する（ステップＳ９）。
【００４５】
これに対し、例えば、図８（ｃ）に示すように、基準位置Ｒ１以外の隅部Ｒ３に突き当てられた状態で原稿９が載置され、原稿位置検出センサ４ａ以外のセンサで原稿９の存在を検出した場合には（図７のステップＳ８：Ｎｏ）、原稿９の存在を検出した原稿位置検出センサ（図８（ｃ）の場合は、原稿位置検出センサ４ｃ）の出力と、原稿長検出センサ５ａ〜５ｖの出力とに基づき、原稿９の主／副走査方向の長さを検出し、原稿サイズ（図８（ｃ）の場合は、Ａ４サイズ）を確定する（ステップＳ１０）。
【００４６】
以上のような処理により、原稿９がいずれの隅部に突き当て載置されても、原稿像の読み取り前に原稿サイズを確定することができる。尚、原稿像の読み取り前に原稿サイズを確定し得る利点は、次の通りである。すなわち、原稿サイズをユーザにいち早く提示することが可能になり、また、コピー操作の場合には、確定したサイズから最適なサイズのトレイを装置が選択する自動用紙選択機能（ＡＰＳ機能）、ユーザが選択トレイの用紙サイズに合うように確定した原稿サイズを自動的に最適な倍率に縮小/拡大する自動倍率選択機能（ＡＭＳ機能）などを利用し、実行前に出力サイズや倍率をユーザに提示することが可能となる。
【００４７】
原稿９の有無やサイズの検出処理が終了すると、それらの結果がディスプレイ１３に表示される。そして、検出結果に問題がないとしてユーザがスタートキー１６を押し下げれば、原稿像の読み取り処理が開始される。
【００４８】
読み取り処理が開始されると、画像読取装置１においては、図９に示すように、原稿９が基準位置Ｒ１に突き当てた状態で載置されているか否かを、図７に示すステップＳ８での判断結果を用いて判断する（ステップＳ１１）。そして、原稿９が基準位置Ｒ１に突き当てられていれば（図８（ｂ）参照）、画像処理部１０での信号処理を経た画像データをそのまま加工することなく、メモリ部１２へ格納する（ステップＳ１２）。
【００４９】
一方、原稿９が基準位置Ｒ１以外の隅部に突き当てられた状態で載置されていた場合には（図８（ｃ）参照）、図１０（ａ）に示すように、画像補正部１１において、突き当て位置から検出したサイズ分のデータ（ｘ１領域）を切り出したり、或いは、余分なデータ（ｘ２領域）を削除するように画像データを補正し、メモリ部１２に格納する（図９のステップＳ１３）。
【００５０】
尚、上記の画像データ処理においては、原稿９が基準位置Ｒ１に突き当て載置される場合に、画像データを加工せずに格納するようにしているが、原稿９が基準位置Ｒ１に突き当て載置される場合でも、図１０（ｂ）に示すように、原稿サイズ分のデータ（ｙ１領域）を切り出したり、余分な領域（ｙ２領域）を削除するように画像データを補正してもよい。
【００５１】
以上のように、本実施の形態によれば、基準位置Ｒ１以外の隅部に突き当てた状態で原稿９が載置されても、原稿９の原稿サイズを検出することができるため、原稿９がいずれかの隅部に突き当たってさえいれば、速やかに原稿サイズを検出することが可能になる。また、必要に応じて、検出した原稿サイズに基づき画像データを補正するため、ユーザに対して頻繁に原稿９の置き直しを迫ることがなく、煩わしさを解消することが可能になる。
【００５２】
さらに、原稿９が四隅部のいずれにも突き当たっていない状態が検出されたときにのみ、プラテンガラス２１上に原稿９が載置されていない旨、又は原稿９の載置位置に誤りがある旨の警告メッセージを表示するため、対応できない瑕疵に限って警告を発することができる。これにより、原稿９の置き直し要求を少なく抑えながら、用紙の無駄な消費を抑制することが可能になる。
【００５３】
次に、本発明にかかる画像読取装置の第２の実施形態について、図１１を参照しながら説明する。
【００５４】
本実施の形態にかかる画像読取装置は、副走査方向のセンタ基準位置ＣＲ１を基準として原稿９がセンタ載置された場合でも、原稿９のサイズ検出及び原稿像の読み取りを可能としたものである。この画像読取装置５０は、図１１（ａ）に示すように、図５に示す画像読取装置１に対し、原稿長検出センサ５１ａ〜５１ｅを追加した構成を有する。これら原稿長検出センサ５１ａ〜５１ｅは、例えば、Ｂ５、Ａ４、Ｂ４及びＡ３サイズの原稿９をセンタ基準位置ＣＲ１に合わせてセンタ載置した場合に対応して配置される。
【００５５】
画像読取装置５０において、図１１（ｂ）の状態で原稿９が載置された場合には、原稿位置検出センサ４ａ〜４ｄの出力のいずれもが、原稿９が載置されていない状態を示すため、角突き当てで載置されていないことを確認することができる。このとき、原稿長検出センサ５ａ〜５ｖ、５１ａ〜５１ｅの出力を判断条件に加えることで、原稿９がプラテンガラス２１上に存在しないのか、それとも、四隅部Ｒ１〜Ｒ４に突き当たっていない状態で原稿９が載置されているのかを判別することができる。
【００５６】
また、原稿長検出センサ５ａ〜５ｖ（図５参照）及び原稿長検出センサ５１ａ〜５１ｅの出力を参照することで、原稿９の主走査長及び副走査長を検出することができ、原稿サイズを判別することができる。その後は、第１の実施形態の場合と同様に、検出した原稿９の位置やサイズに応じて画像データを補正する。
【００５７】
次に、本発明にかかる画像読取装置の第３の実施形態について、図１２を参照しながら説明する。
【００５８】
本実施の形態にかかる画像読取装置は、主走査方向のセンタ基準位置ＣＲ２を基準として原稿９がセンタ載置された場合でも、原稿９のサイズ検出及び原稿像の読み取りを可能としたものである。この画像読取装置６０は、図１２に示すように、図５に示す画像読取装置１に対し、原稿長検出センサ６１ａ〜６１ｃを追加した構成を有する。これら原稿長検出センサ６１ａ〜６１ｃは、各種サイズの原稿９をセンタ基準位置ＣＲ２に合わせてセンタ載置した場合に対応して配置される。
【００５９】
以上、本発明の実施の形態を説明したが、本発明は、上記構成に限定されるものではなく、特許請求の範囲に記載された発明の範囲内で種々の変更が可能である。
【００６０】
例えば、上記実施の形態においては、本発明にかかる画像読取装置をモジュールスキャン方式の画像読取装置に適用した場合を例示したが、本発明は、ミラースキャン方式の画像読取装置にも適用することが可能である。
【００６１】
また、上記実施の形態においては、センタ基準位置ＣＲ１でのセンタ載置に対応可能な構成と、センタ基準位置ＣＲ２でのセンタ載置に対応可能な構成とを別個に説明したが、これらを組み合わせ、センタ基準位置ＣＲ１、ＣＲ２の双方に対応可能な装置を構成することもできる。
【符号の説明】
【００６２】
１  画像読取装置
２  開閉センサ
３  角度センサ
４（４ａ〜４ｄ）  原稿位置検出センサ
５（５ａ〜５ｖ）  主／副走査長検出センサ（原稿長検出センサ）
９  原稿
１０  画像処理部
１１  画像補正部
１２  メモリ部
１３  ディスプレイ
１４  操作パネル
１５  制御部
１６  スタートキー
２１  プラテンガラス
２２  プラテンカバー
３０  光学モジュール
３１  ＣＣＤ
３２  レンズ
３３  ランプ
３４  ミラー
３５  フレーム
３６  光路
３７  ドラム
３８  ワイヤ
３９  レール
４０  プラテンガラス
４１  モータ
４２  底部
４３  光学モジュール
５０  画像読取装置
５１（５１ａ〜５１ｅ）  原稿長検出センサ
６０  画像読取装置
６１（６１ａ〜６１ｃ）  原稿長検出センサ
Ｒ１  基準位置
Ｒ２〜Ｒ４  隅部
ＣＲ（ＣＲ１、ＣＲ２）  センタ基準位置
【図１】
2010206343.tif 000003
【図２】
2010206343.tif 000004
【図３】
2010206343.tif 000005
【図４】
2010206343.tif 000006
【図５】
2010206343.tif 000007
【図６】
2010206343.tif 000008
【図７】
2010206343.tif 000009
【図８】
2010206343.tif 000010
【図９】
2010206343.tif 000011
【図１０】
2010206343.tif 000012
【図１１】
2010206343.tif 000013
【図１２】
2010206343.tif 000014
【図１３】
2010206343.tif 000015